(57)【要約】      （修正有）【課題】需要によって折り畳むことができる肩・背中マッサージ器を提供する。【解決手段】肩・背中マッサージ器は、グリップ１０とマッサージ部材２０とを含む。グリップにはカーブ状の握り部１１があり、握り部の一端には止め部１２が湾曲して設けられ、肩・背中マッサージ器は握り部が握られて使用される時に滑り落ちる現象が避けられる。握り部のもう一端には枢軸接続ブロック１３が設けられ、枢軸接続ブロックの片側中央に枢軸接続部１４が突出し、枢軸接続部によって仕切られることで、枢軸接続部の両側にはそれぞれ第一当て縁１５と第二当て縁１６が形成される。マッサージ部材にはカーブ状の延伸棒２１があり、延伸棒の一端には爪状のマッサージ部２２が形成され、もう一端には枢軸接続溝２３が設けられる。枢軸接続溝内には位置限定止めブロック２４が設けられることで、位置限定止めブロックの両側にはそれぞれ第一位置限定縁２５と第二位置限定縁２６が形成される。【選択図】図２
0003230408.tif 000002
【実用新案登録請求の範囲】
【請求項１】
グリップとマッサージ部材とを含む肩・背中マッサージ器であって、
前記グリップはカーブ状の握り部があり、前記握り部の一端には止め部が湾曲して設けられ、前記止め部は止めることを提供することで、前記肩・背中マッサージ器は前記握り部が握られて使用される時に滑り落ちる現象が避けられ、前記握り部のもう一端には枢軸接続ブロックが設けられ、前記枢軸接続ブロックの片側中央に枢軸接続部が突出し、前記枢軸接続部によって仕切られることで、前記枢軸接続部の両側にはそれぞれ第一当て縁と第二当て縁が形成され、
前記マッサージ部材にはカーブ状の延伸棒があり、前記延伸棒の一端には爪状のマッサージ部が形成され、もう一端には枢軸接続溝が設けられ、前記枢軸接続溝内には位置限定止めブロックが設けられることで、前記位置限定止めブロックの両側にはそれぞれ第一位置限定縁と第二位置限定縁が形成され、前記グリップは前記枢軸接続ブロックによって前記枢軸接続溝内に貫通して入れられ、また前記枢軸接続部は枢軸によって前記マッサージ部材と係合される時、前記第一当て縁と第一位置限定縁、または第二当て縁と第二位置限定縁が当たることによって、前記グリップとマッサージ部材は確実に互いに折り畳まれた状態または互いに展開された状態に位置限定され、前記肩・背中マッサージ器が展開された後、前記グリップとマッサージ部材は中心軸の両側に向かって変位することで、前記肩・背中マッサージ器のマッサージする範囲が拡大されることを特徴とする肩・背中マッサージ器。
【請求項２】
前記グリップと延伸棒は湾曲度が異なることを特徴とする請求項１の肩・背中マッサージ器。
【請求項３】
前記第一当て縁と第一位置限定縁は水平状に設けられ、前記第二当て縁と第二位置限定縁は傾斜状に設けられることを特徴とする請求項１の肩・背中マッサージ器。
【請求項４】
前記マッサージ部は１本爪状に設けられることを特徴とする請求項１の肩・背中マッサージ器。
【請求項５】
前記マッサージ部は２本爪の多数爪状に設けられることを特徴とする請求項１の肩・背中マッサージ器。
【請求項６】
前記マッサージ部は３本爪の多数爪状に設けられることを特徴とする請求項１の肩・背中マッサージ器。
【請求項７】
前記マッサージ部は４本爪の多数爪状に設けられることを特徴とする請求項１の肩・背中マッサージ器。
【考案の詳細な説明】
【技術分野】
【０００１】
本考案は人体の肩と背中をマッサージする肩・背中マッサージ器の構造に関する。
【背景技術】
【０００２】
従来の肩と背中マッサージ器の多くは直棒状の本体になっている。上述本体の両端にはそれぞれ握り部とフック状のマッサージ部があり、該握り部は握られることを提供し、さらに上述本体の延長によってマッサージする距離が人体の肩と背中部まで拡大されることで、上述マッサージ部によって上述肩と背中を押したり、掻いたりするため、マッサージによるストレス解消と痒み止め効果を奏する。
【０００３】
しかし、上述のような従来構造は実際に応用される時は以下の問題点が残っている。（一）上述の肩・背中マッサージ器は一体的に固定されており、需要によって折り畳むことができないため、該肩・背中マッサージ器は携帯しにくい、包装において無駄が多く、使用しない時の収納は比較的にスペースをとるといった問題がある。（二）上述の肩・背中マッサージ器の本体は直棒であるため、体の曲線に合わせて最も良い角度の接触ができず、使用者が腕を上に伸ばさないと背中のマッサージができないため、利便性に欠ける。
【０００４】
従って、上述のような従来の肩・背中マッサージ器における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来のマッサージ器具は一体的に固定されているため、需要によって折り畳めないという技術問題点について解決し、肩・背中マッサージ器を提供する。
【課題を解決するための手段】
【０００６】
肩・背中マッサージ器は、グリップとマッサージ部材とを含む。そして、グリップはカーブ状の握り部があり、上述握り部の一端には止め部が湾曲して設けられ、該止め部は止めることを提供することで、上述肩・背中マッサージ器は上述握り部が握られて使用される時に滑り落ちる現象が避けられる。上述握り部のもう一端には枢軸接続ブロックが設けられ、該枢軸接続ブロックの片側中央に枢軸接続部が突出し、上述枢軸接続部によって仕切られることで、上述枢軸接続部の両側にはそれぞれ第一当て縁と第二当て縁が形成される。マッサージ部材はカーブ状の延伸棒があり、上述延伸棒の一端は爪状のマッサージ部が形成され、もう一端は枢軸接続溝が設けられる。該枢軸接続溝内には位置限定止めブロックが設けられることで、上述位置限定止めブロックの両側はそれぞれ第一位置限定縁と第二位置限定縁が形成される。上述グリップは上述枢軸接続ブロックによって上述枢軸接続溝内に貫通して入れられ、また上述枢軸接続部は枢軸の穿設によって上述マッサージ部材と係合される時、上述第一当て縁と第一位置限定縁または第二当て縁と第二位置限定縁が当たることによって、上述グリップとマッサージ部材は確実に互いに折り畳まれた状態または互いに展開された状態に位置限定される。上述肩・背中マッサージ器が展開された後、上述グリップとマッサージ部材は中心軸の両側に向かって変位することで、上述肩・背中マッサージ器のマッサージする範囲が拡大される。このように、肩・背中マッサージ器が得られる。
【０００７】
（一）本考案の肩・背中マッサージ器は、上述グリップとマッサージ部材は互いに折り畳められ、該肩・背中マッサージ器は携帯しやすい、包装においてもっと節約でき、使用しない時はスペースを取らないなどの利点がある。
【０００８】
（二）本考案の肩・背中マッサージ器は、上述肩・背中マッサージ器が展開された後、上述グリップとマッサージ部材は中心軸の両側に向かって変位することで、上述肩・背中マッサージ器のマッサージする範囲が拡大され、さらに体の曲線に合わせて最もいい角度の接触ができ、使用者の腕は上へ延ばさなくても背中をマッサージでき、使用において便利である。
【図面の簡単な説明】
【０００９】
【図１】図１は、本考案に係る肩・背中マッサージ器を示す立体組み合わせ図である。
【図２】図２は、本考案に係る肩・背中マッサージ器を示す立体分解図である。
【図３】図３は、本考案が折り畳められた状態を示す断面図である。
【図４】図４は、本考案の展開状態を示す図である。
【図５】図５は、本考案が展開された後の使用状態を示す図である。
【図６】図６は、本考案の別の好適実施例を示す図である。
【図７】図７は、本考案のまた別の好適実施例を示す図である。
【考案を実施するための形態】
【００１０】
まず、図１から図４を参照されたい。本考案の肩・背中マッサージ器は、グリップ（１０）とマッサージ部材（２０）とを含む。そして、グリップ（１０）にはカーブ状の握り部（１１）があり、上述握り部（１１）の一端には止め部（１２）が湾曲して設けられ、該止め部（１２）は止めることを提供することで、上述肩・背中マッサージ器は上述握り部（１１）が握られて使用される時に滑り落ちる現象が避けられる。上述握り部（１１）のもう一端には枢軸接続ブロック（１３）が設けられ、該枢軸接続ブロック（１３）の片側中央に枢軸接続部（１４）が突出し、上述枢軸接続部（１４）によって仕切られることで、上述枢軸接続部（１４）の両側にはそれぞれ第一当て縁（１５）と第二当て縁（１６）が形成される。マッサージ部材（２０）にはカーブ状の延伸棒が（２１）あり、上述延伸棒（２１）の一端には爪状のマッサージ部（２２）が形成され、もう一端には枢軸接続溝（２３）が設けられる。該枢軸接続溝（２３）内には位置限定止めブロック（２４）が設けられることで、上述位置限定止めブロック（２４）の両側にはそれぞれ第一位置限定縁（２５）と第二位置限定縁（２６）が形成される。上述グリップ（１０）は上述枢軸接続ブロック（１３）によって上述枢軸接続溝（２３）内に貫通して入れられ、また上述枢軸接続部（１４）は枢軸（３０）によって上述マッサージ部材（２０）と係合される時、上述第一当て縁（１５）と第一位置限定縁（２５）、または第二当て縁（１６）と第二位置限定縁（２６）が当たることによって、上述グリップ（１０）とマッサージ部材（２０）は確実に互いに折り畳まれた状態（図１から図３に示す）または互いに展開された状態（図４に示す）に位置限定される。上述肩・背中マッサージ器が展開された後、上述グリップ（１０）とマッサージ部材（２０）は中心軸（Ｙ軸）の両側に向かって変位することで、上述肩・背中マッサージ器のマッサージする範囲が拡大される。
【００１１】
上述グリップ（１１）と延伸棒（２１）は湾曲度が異なる。
【００１２】
上述第一当て縁（１５）と第一位置限定縁（２５）は水平状に設けられ、上述第二当て縁（１６）と第二位置限定縁（２６）は傾斜状に設けられる。
【００１３】
上述マッサージ部（２２）は１本爪状に設けられる。
【００１４】
上述マッサージ部（２２）は２本爪の多数爪状（同時に図６を参照されたい）に設けられる。
【００１５】
上述マッサージ部（２２）は３本爪の多数爪状（同時に図１から図５を参照されたい）に設けられる。
【００１６】
上述マッサージ部（２２）は４本爪の多数爪状（同時図７を参照されたい）に設けられる。
【００１７】
実際に使用する時、上述グリップ（１０）とマッサージ部材（２０）が互いに展開されることを利用し（同時に図４を参照されたい）、上述グリップ（１０）の握り部（１１）によって握られることを提供し、上述延伸棒（２１）の延長によってマッサージする距離を人体の肩と背中まで拡大されると、上述マッサージ部（２２）によって上述肩と背中を押し当てたり、掻いたりすることができ、マッサージによるストレス解消とかゆみ止めの効果を奏する（同時に図５を参照されたい）。上述肩・背中マッサージ器を反対側に持ち替えると、同じように上述止め部（１２）の押し当てによってマッサージでき、また上述肩・背中マッサージ器が展開された後、上述グリップ（１０）とマッサージ部材（２０）が中心軸（Ｙ軸）の両側に向かって変位することで、上述肩・背中マッサージ器のマッサージできる範囲が拡大されるため、使用時は該肩・背中マッサージ器を肩に置くだけで、人体の背中部に対して有効的にマッサージでき（引き続き図５を参照されたい）、使用の利便性が上がるだけでなく、届かない場所が発生することも避けられる。
【００１８】
上述の具体的な実施例構造によると、以下の効果が得られる。（一）上述グリップ（１０）とマッサージ部材（２０）が互いに折り畳められ、該肩・背中マッサージ器は携帯しやすく、包装においてもっと節約でき、さらに使用しない時は収納にスペースを取らないなどの利点がある。（二）上述肩・背中マッサージ器が展開された後、上述グリップ（１０）とマッサージ部材（２０）が中心軸（Ｙ軸）の両側に向かって変位することで、上述肩・背中マッサージ器のマッサージする範囲が拡大され、また体の曲線に合わせて最もいい角度の接触ができ、使用者の腕は上へ伸ばさなくても背中をマッサージできるため、使用上において比較的に便利である。
【００１９】
以上は、本考案に係る実施例の一部に過ぎないため、本考案の実施範囲を制限するものではない。即ち、本考案の実用新案登録請求の範囲内で行われる変更、改良なども本考案の範囲に属すべきである。
【符号の説明】
【００２０】
１０              グリップ
１１              握り部
１２              止め部
１３              枢軸接続ブロック
１４              枢軸接続部
１５              第一当て縁
１６              第二当て縁
２０              マッサージ部材
２１              延伸棒
２２              マッサージ部
２３              枢軸接続溝
２４              位置限定止めブロック
２５              第一位置限定縁
２６              第二位置限定縁
３０              枢軸
【図１】
0003230408.tif 000003
【図２】
0003230408.tif 000004
【図３】
0003230408.tif 000005
【図４】
0003230408.tif 000006
【図５】
0003230408.tif 000007
【図６】
0003230408.tif 000008
【図７】
0003230408.tif 000009